(57)【特許請求の範囲】
【請求項１】
連続した２進数の入力データ列からなる主情報をランダム化した後、ｐビット毎に区切り、前記ｐビットの入力データ語をｑ（ｐ＜ｑ）ビットの符号語に変換し、前後の前記ｑビットの符号語を直接結合する信号変調方法であって、
予め、前記ｑビットの符号語は、符号ビット「１」の最小連続数と前記符号ビット「０」の最小連続数とが異なり、かつ前記符号ビット「１」、「０」の最大連続数が共に等しく、前記ｐビットの入力データ語を前記ｑビットの符号語に変換する複数のテーブルを有する第１符号化テーブルと、この第１符号化テーブルの符号語を反転した第２符号化テーブルとを備えた符号化テーブルを用意し、
外部から供給される同期タイミング信号に応じて、前記主情報に付加する付加情報を信号変調回路で変調して、前記第1、第２符号化テーブルのいずれかに含まれるテーブルを選択する「０」又は「１」のバイナリ信号を生成し、
選択回路／１ワード遅延回路により、前記バイナリ信号で選択された前記第１、第２符号化テーブルのいずれかに含まれる前記テーブルに基づいて、前記ｐビットの入力データ語を前記ｑビットの符号語に順次変換すると共に、前記バイナリ信号を２値信号列にして、前記２値信号列を前記ｑビットの符号語に重畳させ、
記録信号処理回路により、前記２値信号列を重畳した前記ｑビットの符号語に前記同期タイミング信号を付加することを特徴とする信号変調方法。
【請求項２】
ｐ＝４、ｑ＝７であって、前記第１符号化テーブルに含まれるテーブルのｑビットの符号語は、前記符号ビット「１」の最小連続数が３、前記符号ビット「０」の最小連続数が２であり、前記第２符号化テーブルに含まれるテーブルのｑビットの符号語は、前記符号ビット「１」の最小連続数が２、前記符号ビット「０」の最小連続数が３であり、かつ前記第１、第２符号化テーブルに含まれるテーブルのｑビットの符号語は、前記符号ビット「１」または「０」の最大連続数が１１であることを特徴とする請求項１に記載の信号変調方法。
【請求項３】
請求項１又は２に記載の信号変調方法によって変調された情報記録信号が記録されたことを特徴とする情報記録媒体。
【発明の詳細な説明】
【０００１】
【発明の属する技術分野】
本発明は、光ディスク等のディジタル記録媒体にディジタルデータを記録する際に用いられる信号変調方法、信号復調方法及び情報記録媒体に係わり、特にディジタル記録媒体の主情報に付加情報を重畳して記録するための信号変調方法、信号復調方法及び情報記録媒体に関するものである。
【０００２】
【従来の技術】
光ディスクの不正改ざん防止を目的として、例えばＤＶＤ（ディジタル・バーサタイル・ディスク）ではディスク最内周にＢＣＡ（バースト・カッティング・エリア）と呼ばれるバーコード状の信号エリアにディスクの成形後、個別情報を記録することが知られている。更に、データ領域にもコピー防止の付加情報を画像情報や音楽情報等の主情報に重畳させて記録することによって改ざん防止効果を大きくすることが知られている。一方、従来から、主情報以外のアドレス情報等をグルーブ溝のウォブリングを行って記録することが行われていた。
【０００３】
【発明が解決しようとする課題】
しかしながら、グルーブ溝のウォブリングではアドレス情報等を持たせることができるもののコピー防止信号を入れることには不向きであった。
【０００４】
そこで、本発明は、上記のような問題点を解消するためになされたもので、主情報が劣化することなく、付加情報をこの主情報に重畳させて記録再生する信号変調方法、信号復調方法及び情報記録媒体を提供することを目的とする。
【０００５】
【課題を解決するための手段】
本発明の第１の発明は、連続した２進数の入力データ列からなる主情報をランダム化した後、ｐビット毎に区切り、前記ｐビットの入力データ語をｑ（ｐ＜ｑ）ビットの符号語に変換し、前後の前記ｑビットの符号語を直接結合する信号変調方法であって、
予め、前記ｑビットの符号語は、符号ビット「１」の最小連続数と前記符号ビット「０」の最小連続数とが異なり、かつ前記符号ビット「１」、「０」の最大連続数が共に等しく、前記ｐビットの入力データ語を前記ｑビットの符号語に変換する複数のテーブルを有する第１符号化テーブルと、この第１符号化テーブルの符号語を反転した第２符号化テーブルとを備えた符号化テーブルを用意し、
外部から供給される同期タイミング信号に応じて、前記主情報に付加する付加情報を信号変調回路で変調して、前記第1、第２符号化テーブルのいずれかに含まれるテーブルを選択する「０」又は「１」のバイナリ信号を生成し、
選択回路／１ワード遅延回路により、前記バイナリ信号で選択された前記第１、第２符号化テーブルのいずれかに含まれる前記テーブルに基づいて、前記ｐビットの入力データ語を前記ｑビットの符号語に順次変換すると共に、前記バイナリ信号を２値信号列にして、前記２値信号列を前記ｑビットの符号語に重畳させ、
記録信号処理回路により、前記２値信号列を重畳した前記ｑビットの符号語に前記同期タイミング信号を付加することを特徴とする信号変調方法を提供する。
第２の発明は、ｐ＝４、ｑ＝７であって、前記第１符号化テーブルに含まれるテーブルのｑビットの符号語は、前記符号ビット「１」の最小連続数が３、前記符号ビット「０」の最小連続数が２であり、前記第２符号化テーブルに含まれるテーブルのｑビットの符号語は、前記符号ビット「１」の最小連続数が２、前記符号ビット「０」の最小連続数が３であり、かつ前記第１、第２符号化テーブルに含まれるテーブルのｑビットの符号語は、前記符号ビット「１」または「０」の最大連続数が１１であることを特徴とする第１の発明に記載の信号変調方法を提供する。
第３の発明は、第１の発明又は第２の発明に記載の信号変調方法によって変調された情報記録信号が記録されたことを特徴とする情報記録媒体を提供する。
【０００６】
【発明の実施の形態】
本発明の実施形態について、図１〜図９を用いて説明する。
図１は、本発明に係わる信号変調装置の一実施形態に用いられる第１符号化テーブルを示す図である。
図２は、図１の符号ビットを反転した第２符号化テーブルを示す図である。
図３は、図１及び図２の符号化テーブルを用いた変調処理を説明するためのブロック図である。
図４は、本発明に係わる信号変調装置の実施形態を示すブロック図である。
図５は、本発明に係わる信号復調装置の実施形態の構成図である。
図６は、情報源Ａ、情報源Ｂ及び同期ブロックとの関係を示す図である。
図７は、本発明に係わる信号復調装置の実施形態に用いられる第１復調器を示すブロック図である。
図８は、復調器における復号テーブル／重複符号語検出演算部の構成を示す図である。
図９は、復号テーブルを示す図である。
【０００７】
図１は、一例として、連続した２進数のデータ列をｐ＝４ビット毎に区切り、この４ビットの入力データ語Ｄk（デジマル「０」〜「１５」で示す）をｑ＝７ビットの符号語Ｗk（デシマルとバイナリの両方で示す）に変換する４−７変調に用いられる第１符号化テーブル１を示している。
この場合、７ビットの符号語Ｗkは、符号ビット「１」の連続数の最小値が３、符号ビット「０」の連続数の最小値が２になり、更に、前後の符号語Ｗk、Ｗk+1を連結した場合、符号ビット「１」、「０」の連続数の最大値が１１になるように選択されている。そして、符号語Ｗkの符号ビット「１」が光ディスクのピットに割り当てられ、符号ビット「０」がランドに割り当てられて記録される。
【０００８】
図２に示す第２符号化テーブル２は、図１の符号ビットを反転したものである。
即ち、７ビットの符号語Ｗkは、符号ビット「０」の連続数の最小値が３、符号ビット「１」の連続数の最小値が２になり、更に、前後の符号語Ｗk、Ｗk+1を連結した場合、符号ビット「１」、「０」の連続数の最大値が１１になるように選択されている。
そして、符号語Ｗkの符号ビット「０」が光ディスクのピットに割り当てられ、符号ビット「１」がランドに割り当てられて記録される。
【０００９】
ここで、図１に示す第１符号化テーブル１の最上段の番号０〜５及び図２に示す第２符号化テーブル２の最上段の番号６〜１１においては、第１及び第２符号化テーブル１、２に割り当てられたテーブルＳkを示し、最左側の入力データ語Ｄkは、４ビットの入力データ語の１０進数表示を示す。所定のテーブルＳk内における、一番左側の列から順番に、符号語Ｗkの１０進数表示（デシマル）、２進表示（バイナリ）、次に選択するテーブルＳk+1を示している。
【００１０】
第１及び第２符号化テーブル１、２における各６つのテーブルＳkは、入力データ語Ｄkに対してそれぞれ０〜５、６〜１１を有し、２つの異なる入力データ語Ｄkに対して、同一の符号語Ｗkが重複して割り当てられている。そして、この２つの異なる入力データ語Ｄkに対して同一の符号語Ｗkを割り当てても復号化が可能なように、テーブルＳkは、次に選択するテーブルＳk+1を有している。
【００１１】
このような第１及び第２符号化テーブル１、２を用いた入力データ語Ｄkの符号語Ｗkに変調する信号変調方法は、図３を用いて以下のように行われる。
図３に示すように、入力データ語ＤkをテーブルＳkと共に第１符号化テーブル１と第２符号化テーブル２とを有する符号化テーブル３に入力し、入力データ語ＤkとテーブルＳkに基づいて、符号語Ｗkを出力すると同時に、次の変換時に使用するテーブルＳk+1を選択する。この後、テーブルＳk+1は、１ワード遅延部４で１ワード（入力データ４ビット）遅延され、次の入力データ語Ｄk+1と共に符号化テーブル３に入力し、次の符号語Ｗk+1を出力する。
ここに、ｋ、ｋ＋１は、データ変調単位での、ある時点ｋと次の時点ｋ＋１を意味する。
【００１２】
ここで、図１において、例えば、符号化テーブルＳk＝１では、
（１）入力データ語Ｄk＝４、５に対して同一の符号語Ｗk＝１０３が割り当てられ、また、
（２）入力データ語Ｄk＝１２、１４に対して同一の符号語Ｗk＝１２０が割り当てられている。このように同一の符号語Ｗkが複数の異なる入力データ語Ｄkに対して割り当てられている場合には、この符号語Ｗkは、次の符号語Ｗk+1がどのテーブルＳk+1により符号化されたかを検出することにより入力データ語Ｄkに復号することができる。
【００１３】
同様に、上記（２）における符号語Ｗk＝１２０が入力データ語Ｄk＝１２の場合には、次のテーブルはＳk+1により４が選択され、入力データ語Ｄk＝１４の場合には、次のテーブルＳk+1は、５が選択される。この場合にも同様に、テーブルＳk＝４、Ｓk＝５間では、同じ符号語が存在しない（重複していない）ので、次の符号語Ｗk+1がどのテーブルＳk+1により符号化されたかを検出することができる。
【００１４】
例えば、初期のテーブルＳkを０として、入力データ語Ｄk、Ｄk+1、Ｄk+2、Ｄk+3、Ｄk+4、…が０、２、４、６、８…と入力された場合、第１符号化テーブル１及び図３に示す信号変調方法を用いて、次のような符号語変換と次の符号化用のテーブル選択を行う。
【００１５】
１）Ｄk＝０のとき、テーブルＳk＝０により
符号語Ｗk＝１１１１００１
次のテーブルＳk＝０
（２）Ｄk+1＝２のとき、テーブルＳk＝０により
符号語Ｗk+1＝１１１００１１
次のテーブルＳk＝０
（３）Ｄk+2＝４のとき、テーブルＳk＝０により
符号語Ｗk+2＝１１００１１１
次のテーブルＳk＝１
（４）Ｄk+3＝６のとき、テーブルＳk＝１により
符号語Ｗk+3＝１１０００００
次のテーブルＳk＝４
（５）Ｄk+4＝８のとき、テーブルＳk＝４により
符号語Ｗk+4＝００１１１１１
次のテーブルＳk＝１
…
【００１６】
従って、上記の符号語Ｗk〜Ｗk+4を結合した７×５ビットの記録符号列は、
１１１１００１１１１００１１１１００１１１１１０００００００１１１１１…のようになり、符号ビット「１」、「０」の連続数に関して、前記の如く符号ビット「１」の最小連続数が３、最大連続数が１１であって、符号ビット「０」の最小連続数が２、最大連続数が１１になる制限を満たす。
このことは、第２符号化テーブル２についても同様である。
【００１７】
次に、第１符号化テーブル１及び第２符号化テーブル２を用いた信号変調方法の基本原理について説明する。
第１符号化テーブル１によって信号変調を行う場合には、符号ビット「１」の最小連続数が符号ビット「０」の最小連続数より大であり、かつ符号ビット「１」、「０」の最大連続数が共に等しいから、符号ビット「１」を＋１、符号ビット「０」を−１とした時のビット積算値であるＤＳＶ（ディジタル  サム  バリエーション）は、ランダムな入力データに対して＋となる。
【００１８】
一方、第２符号化テーブル２によって信号変調を行う場合には、符号ビット「０」の最小連続数が符号ビット「１」の最小連続数より大であり、かつ符号ビット「１」、「０」の最大連続数が共に等しいから、ビット積算値であるＤＳＶは、ランダムな入力データに対して−となる。
【００１９】
即ち、所定時間間隔の制御信号によって、交互に選択される第１符号化テーブル１と第２符号化テーブル２とによって符号化が行われる主情報に前記所定の時間間隔を有する制御信号によって生成される付加情報を重畳させることができる。
第１符号化テーブル１による符号化から第２符号化テーブル２による符号化へ移るには、例えば、後述する同期ブロック２０に同期反転挿入部を入れることによって行うことができる。
具体的には、同期ブロック２０に同期語２１の挿入単位の倍を最小の反転間隔とした補助情報を記録し、第１符号化テーブル１で符号化したか、第２符号化テーブル２で符号化したかについて識別する識別情報を同期語と共に入れれば良い。
【００２０】
次に、本発明の信号変調方法の実施形態について図４を用いて説明する。
情報源Ａには、画像データや音楽データ等の主情報が所定の処理を施されて入力されているものとし、この情報源Ａからの主情報のランダム化を行うためのランダマイザ５を介してビット系列をｐビットのデータ語に変換するｐビット変換器６に通し、ｐビット毎の入力データ語Ｄkとして符号化テーブル３に入力する。
一方、情報源Ｂから、例えば、不正コピー防止等の付加情報を信号変調回路７により変調して、「１」又は「０」のバイナリ信号として、符号化テーブル選択信号に用い、同期タイミング信号に基づいて、選択回路／１ワード遅延回路８に入力する。なお、情報源Ｂの信号は情報源Ａに対し、十分情報量が低くても問題がない信号であり、同期語が挿入されるタイミングで十分に変調が可能なものとする。
【００２１】
選択回路／１ワード遅延回路８では、情報源Ｂのバイナリ信号「１」又は「０」によって選択された符号化テーブル３のテーブルＳkを基にして、図３で説明したように、入力データ語Ｄk毎に符号化操作を行い、符号語Ｗkを出力する。即ち、第１符号化テーブル１が選択される場合には、符号語Ｗkは、０〜５のテーブルＳkから出力され、第２符号化テーブル２が選択される場合には、符号語Ｗkは、６〜１１のテーブルＳkから出力される。
【００２２】
この際、情報源Ａの主情報に情報源Ｂのコピー防止等の「１」又は「０」のバイナリ信号を２値信号列（符号化テーブル選択信号）にし、この２値信号列を情報源Ａの主情報に重畳させる。
この様に符号化された符号語Ｗkに記録信号処理回路９で記録フォーマット化のための同期タイミング信号付加等の処理を行い、記録データとして図示せぬ記録回路に送出して、主情報に不正コピー防止等の付加情報を重畳させた信号を光ディスク等の記録媒体に記録する。
【００２３】
前述したように、情報源Ｂは、情報源Ａに比べて情報量が少なく、符号語Ｗkの復号化のタイミングを生成するための同期語２１の周期で情報源Ａの変調が可能であり、例えば、表１に示すような簡単な２値信号列の変調規則によって記録が可能なものである。
【００２４】
【表１】
0004265096.tif 000002
【００２５】
符号ビットが「０」の場合には、第１符号化テーブル１（又は第２符号化テーブル２）をそのまま用い、ビットが「１」の場合には、第２符号化テーブル２（又は第１符号化テーブル１）に変えて用いる。
【００２６】
以上のように、本発明の信号変調方法の実施形態によれば、連続した２進数のデータ列をｐビット毎に区切り、このｐビットの入力データ語Ｄkをｑビットの符号に変換し、ｑビットの符号語Ｗkを直接結合した際に、符号語Ｗkの「１」の最小連続数と「０」の最小連続数が異なり、かつ「１」、「０」の最大連続数が共に等しい第１符号化テーブル１とこの第１符号化テーブル１の符号語Ｗkを反転した第２符号化テーブル２とからなり、情報源Ａの主情報をランダム化した後、変調する符号化テーブル３に、不正コピー防止等の付加情報を「１」又は「０」のバイナリ信号による符号化テーブル選択信号を用いて、第１符号化テーブル１か第２符号化テーブル２のどちらか一方を選択すると共に、不正コピー防止等の情報源Ｂの付加情報を情報源Ａの主情報に重畳させて変調を行うので、情報源Ａの主情報を劣化させることなく光ディスクに記録することができる。
なお、付加情報等を含む情報源Ｂは、符号語Ｗkの復号化のタイミングを生成するための同期語の周期で変調を可能とする。
【００２７】
次に、本発明に係わる信号復調方法の実施形態について図５〜図９を用いて説明する。
ここでは、本発明の実施形態の信号変調方法によって記録された光ディスクに適用した場合について説明をするが、他の記録媒体に適用した場合も同様に行うことができる。
図５に示すように、復調装置は、光ピックアップ１０における図示せぬレーザ光を光ディスク１１に照射し、この光ディスク１１からの反射光量の強弱によって検出された再生信号を増幅する再生アンプ１２と、この再生アンプ１２に並列接続され、再生信号のうち、情報源Ａの復調を行う第１復号手段１３及び再生信号のうち、情報源Ｂの復調を行う第２復号手段１４と、これらの復号手段１３、１４から入力された復調信号から情報源Ａの主情報と情報源Ｂの付加情報の復号化を行う後続信号処理回路１５とからなる。
【００２８】
第１復号手段１３は、再生信号の周波数特性を補償する波形等化回路等で構成された第１フィルタ１６と、後述する復号テーブル２７を用いて、この第１フィルタ１６を通過したｑビット毎に配列された再生信号の符号語Ｗkを判定情報に基づいてｐビット毎の入力データ語Ｄkに変換して、情報源Ａの復調を行う第１復調器１７とからなる。
第２復号手段１４は、再生信号の低域成分のみを通過させる第２フィルタ１８と、この第２フィルタ１８を通過した低域成分の再生信号を表１に示した変調規則を用いて、２値信号列から「１」又は「０」のバイナリ信号に変換して、情報源Ｂの復調を行う第２復号器１９とからなる。
【００２９】
ここで、情報源Ａ、情報源Ｂ及び同期ブロックの関係を図６に示す。
図６に示すように、情報源Ａは、複数の同期ブロック２０からなり、この複数の同期ブロック２０は、同期語２１と、前記したこれに付加された符号化テーブル３と、ユーザデータ２２とからなる。情報源Ｂは、前記した表１に従って、第２フィルタ１８を通過後に再生波形がゼロを横切る所を１として復調がなされる。
【００３０】
次に、情報源Ａと情報源Ｂの復調について図７〜図９を用いて説明をする。
まず、情報源Ａの復調について説明する。
ここでは、情報源Ａは、符号化テーブル３の第１符号化テーブル１によって符号化された場合の復号化についてのみを説明し、符号化テーブル３の第２符号化テーブル２によって符号化された場合についてはビットが反転された以外は、第１符号化テーブル１の場合と同様なので、その説明を省略する。
【００３１】
まず、情報源Ａの主情報を第１フィルタ１６で再生信号の周波数特性を補償して波形等化し、第１復調器１７に入力する。
次に、第１復調器１７は、図７に示す構成を有し、この主情報の２値信号系列である符号語系列とビットクロックとを同期検出回路２３とシリアル／パラレル変換器２４に印加する。更に、同期検出回路２３からこの符号語系列とビットクロックに基づいて、ワードクロックを生成し、シリアル／パラレル変換器２４と、復号テーブル／参照アドレス生成部２５と、復号テーブル／重複符号語検出演算部２６に供給する。この後、シリアル／パラレル変換器２４からビットクロックとワードクロックに基づいて、シリアルな符号語系列を符号語Ｗkに変換して復号テーブル／参照アドレス生成回路２５に供給する。また、復号テーブル／参照アドレス生成回路２５から符号語Ｗkをそのまま復号テーブル／参照アドレスとして復号テーブル／重複符号語検出演算部２６に供給する。
【００３２】
そして、復号テーブル／参照アドレス（符号語Ｗk）を図８に示すような構成の復号テーブル２７、重複語演算回路２８、１ワード遅延回路２９に供給する。
復号テーブル２７は、ＲＯＭで構成され、図９に示すように符号語Ｗkをアドレスとして２ビットの判定情報と、２通りのデータ語候補Ｄk０、Ｄk１（４ビット×２）の合計１０ビットのデータが記録されている。
【００３３】
２ビットの判定情報は、後続の符号語Ｗk+1がどの符号化テーブルのテーブルＳk＝０〜５により符号化されたかを示し、次の３通りに分けることができる。
０：後続の符号語Ｗk+1に関係なく復号可能
１：後続の符号語Ｗk+1がテーブルＳk＝１、２のどちらで符号化されたかによりデータ語Ｄkが決まる。
２：後続の符号語Ｗk+1がテーブルＳk＝４、５のどちらで符号化されたかによりデータ語Ｄkが決まる。
【００３４】
そこで、復号テーブル２７の２通りのデータ語Ｄk０、Ｄk１として、図９に示すように判定情報＝０の場合には、一意に決まる同一のデータ語が記憶され、判定情報＝１の場合には、後続符号語のテーブルＳk＝１、２における各データ語候補がそれぞれ記憶され、判定情報＝２の場合には、後続符号語のテーブルＳk＝４、５における各データ語候補がそれぞれ記憶されている。
【００３５】
復号テーブル２７から読み出された判定情報は、１ワード遅延回路３０を介して重複語演算回路２８に供給される。
重複語演算回路２８では、判定情報が１の場合、第１符号化テーブル１のテーブルＳk＝１で符号化がなされたか、第１符号化テーブル１のテーブルＳk＝２で符号化がなされたかを演算する。同様に、判定情報が２の場合、第１符号化テーブル１のテーブルＳk＝４で符号化がなされたか、第１符号化テーブル１のテーブルＳk＝５で符号化がなされたかを演算する。この演算結果と、１ワード遅延回路２９で遅延された復号テーブル／参照アドレスに基づいて、２通りのデータ語Ｄk０、Ｄk１の内の正しい入力データ語Ｄkを選択して、情報源Ａの主情報を復調する。
【００３６】
重複語演算回路２８の動作は、例えば、以下のようにＣ言語の文法を用いて行われる。
if (判定情報 == 1)[
if (Wk+1==(121 || 113 || 115 || 097 ||103 || 096 || 064 || 078 || 028 || 099 || 014 || 120 ))
Dk＝Dk0;
if (Wk+1==(001 || 003 || 015 || 007 || 065|| 067 || 112 || 071 || 079
|| 030 || 000 ))
Dk＝Dk1;
]
elseif (判定情報==2)[
if (Wk+1==(001 || 003 || 060 || 007 || 015 || 031 || 028 || 056 || 014 || 030 || 028 ))
Dk = Dk0;
if (Wk+1==(121 || 113 || 115 || 057 || 127 || 063 || 112 || 126 || 062 || 120 || 124 ))
Dk = Dk1;
]
【００３７】
上記演算において、判定情報＝０の場合、Ｄk＝Ｄk０でない場合、Ｄk＝Ｄk1としても問題はない。
従って、この復号テーブル／重複符号語検出演算部２６によれば、入力データ語Ｄkを現在の符号語Ｗkと判定情報と後続の符号語Ｗk+1により復調できる。
【００３８】
次に、コピー防止等の付加情報からなる情報源Ｂの復調について説明する。
情報源Ｂの付加情報をこの第２フィルタ１８で再生信号から低域成分を通過させた後、第２復号器１９に供給し、表１を用いて、変調データから「１」又は「０」のバイナリ信号にして復調する。
【００３９】
このようにして復調された情報源Ａ、Ｂを後続信号処理回路１５で処理して情報源Ａの主情報と情報源Ｂの付加情報を復号して光ディスク１１の再生を行うことができる。
【００４０】
本発明の信号復調方法の実施形態によれば、現在の符号語Ｗkと、復号テーブルに予め記録されている判定情報と、後続の符号語Ｗk+1により、ｑビット毎に配列された符号語Ｗkをｐビット毎のデータ列に変換して、情報源Ａの主情報の復調を行い、一方、再生信号の低域成分を「１」、「０」のバイナリ信号に変換して、情報源Ｂの復調を行うので、情報源Ａの主情報を劣化させることなく復調できる。
【００４１】
【発明の効果】
本発明によれば、外部から供給される同期タイミング信号に応じて、前記主情報に付加する付加情報を信号変調回路で変調して、前記第1、第２符号化テーブルのいずれかに含まれるテーブルを選択する「０」又は「１」のバイナリ信号を生成し、選択回路／１ワード遅延回路により、前記バイナリ信号で選択された前記第１、第２符号化テーブルのいずれかに含まれる前記テーブルに基づいて、前記ｐビットの入力データ語を前記ｑビットの符号語に順次変換すると共に、前記バイナリ信号を２値信号列にして、前記２値信号列を前記ｑビットの符号語に重畳させ、記録信号処理回路により、前記２値信号列を重畳した前記ｑビットの符号語に前記同期タイミング信号を付加するので、前記主情報を劣化させることなく信号変調を行うことができる。
情報記録媒体には、請求項１又は２に記載の信号変調方法によって変調された情報記録信号が記録されているので、主情報を劣化させることなく、信号復調を行うことができる。
【図面の簡単な説明】
【図１】本発明に係わる信号変調装置の一実施形態に用いられる第１符号化テーブルを示す図である。
【図２】図１の符号ビットを反転した第２符号化テーブルを示す図である。
【図３】図１及び図２の符号化テーブルを用いた変調処理を説明するためのブロック図である。
【図４】本発明に係わる信号変調装置の実施形態を示すブロック図である。
【図５】本発明に係わる信号復調装置の実施形態の構成図である。
【図６】情報源Ａ、情報源Ｂ及び同期ブロックとの関係を示す図である。
【図７】本発明に係わる信号復調装置の実施形態に用いられる第１復調器を示すブロック図である。
【図８】復調器における復号テーブル／重複符号語検出演算部の構成を示す図である。
【図９】復号テーブルを示す図である。
【符号の説明】
１…第１符号化テーブル、２…第２符号化テーブル、３…符号化テーブル、４…１ワード遅延部、５…ランダマイザ、６…ｐビット変換器、７…信号変調回路、８…選択回路／１ワード遅延回路、９…記録信号処理回路、１０…光ピックアップ、１１…光ディスク、１２…再生アンプ、１３…第１復号手段、１４…第２復号手段、１５…後続信号処理回路、１６…第１フィルタ、１７…第１復調器、１８…第２フィルタ、１９…第２復号器、２０…同期ブロック、２１…同期語、２２…ユーザデータ、２３…同期検出回路、２４…シリアル／パラレル変換器、２５…復号テーブル／参照アドレス生成部、２６…復号テーブル／重複符号語検出演算部、２７…復号テーブル、２８…重複語演算回路、２９…１ワード遅延回路、３０…１ワード遅延回路
【図１】
0004265096.tif 000003
【図２】
0004265096.tif 000004
【図３】
0004265096.tif 000005
【図４】
0004265096.tif 000006
【図５】
0004265096.tif 000007
【図６】
0004265096.tif 000008
【図７】
0004265096.tif 000009
【図８】
0004265096.tif 000010
【図９】
0004265096.tif 000011